(57)【要約】      （修正有）【課題】素早く正確に生地の縫い糸を切断することができ、しかも使い易い糸切り具を提供する。【解決手段】生地の縫い糸を切断するための糸切り具であって、柄と、柄に配した刃体１ａと、刃体の少なくとも刃先を覆う扁平なカバー２と、を備え、刃先の先端付近の一部が露出するように扁平なカバーの先端付近に切欠き部３が形成されていることを特徴とする糸切り具を提供する。切欠き部３の切欠き方向は、刃の縁線方向に対し刃体１ａの先端方向へ斜めに向かう方向に形成されている。【選択図】図１
0003183533.tif 000002
【実用新案登録請求の範囲】
【請求項１】
生地の縫い糸を切断するための糸切り具であって、
柄と、
上記柄に配した刃体と、
上記刃体の少なくとも刃先を覆う扁平なカバーと、
を備え、
上記刃先の先端付近の一部が露出するように上記扁平なカバーの先端付近に切欠き部が形成されていることを特徴とする糸切り具。
【請求項２】
上記刃体は、上記柄の内部へスライドさせて収納可能な折る刃式カッターナイフの形態に構成されていることを特徴とする請求項１に記載の糸切り具。
【請求項３】
上記切欠き部の軸線は、上記刃体の刃の縁線へ真直ぐ延びる方向よりも刃の先端方向へ若干斜めに延びていることを特徴とする請求項１に記載の糸切り具。
【請求項４】
上記扁平なカバーは、上記柄に着脱自在に構成されていることを特徴とする請求項１に記載の糸切り具。
【考案の詳細な説明】
【技術分野】
【０００１】
本考案は、衣服をリフォームする際などに用いる糸切り具に関する。
【背景技術】
【０００２】
従来、衣服の寸法直しなどのリフォームは、袖や身ごろなど衣服の各部を外して行われることが多々あり、このとき、袖と身ごろを縫い合わせている糸（縫い糸）をカッターナイフによって切断している。
【０００３】
糸の切断をする際に、生地に縫われている糸に対しカッターナイフの刃を直角に立てて当て、この糸上を滑動させることによって切断することがあるが、刃が思わぬ方向に動いて生地を切ってしまう恐れもあり、神経を使う作業であった。
【０００４】
しかし、衣服のリフォームを業としている場合、糸の切断でカッターナイフを慎重に操作していると多大な時間を要し、後段の寸法直し工程に配分された時間に食い込んで、寸法直し工程の職人に迷惑をかけることになってしまう。
【０００５】
このことから、生地の縫い糸を切断して衣服の各部を外す工程の職人には迅速で正確な作業が求められている。
【先行技術文献】
【特許文献】
【０００６】
【特許文献１】特開２００８−８６７２７号公報
【考案の概要】
【考案が解決しようとする課題】
【０００７】
本考案の目的とするところは、素早く且つ正確に生地の縫い糸を切断することができ、しかも、誰でも容易に使用することができる糸切り具を提供できるようにすることにある。
【課題を解決するための手段】
【０００８】
本考案に係る糸切り具は、生地の縫い糸を切断するための糸切り具であって、柄と、柄に配した刃体と、刃体の少なくとも刃先を覆う扁平なカバーと、を備え、刃先の先端付近の一部が露出するように扁平なカバーの先端付近に切欠き部が形成されていることを特徴とする糸切り具である。
【０００９】
また、刃は、柄の内部へスライドさせて収納可能な折る刃式カッターナイフの形態に構成されているとよい。柄の長さや形状については、特に限定するものではなく、使用者の手に持ち易い長さや形状にすればよい。
【００１０】
刃体は柄に配するのがよく、刃体の好適な形態としては、平面視で見て長方形の形状で、この長方形の一方の長辺に沿って刃が形成されているものがよい。
【００１１】
刃体の全体や少なくとも刃の先端部分を覆うことができるように構成された扁平なカバーには、切欠き部が形成されていて、この切欠き部から刃を露出させる。この切欠き部の軸線が、刃の縁線と直交するように真直ぐ延びていてもよいし、縁線へ真直ぐ延びる方向より刃の先端方向へ若干斜めに延びているとよい。
【００１２】
切欠き部の形状については、扁平なカバーの内方を切欠き先端方向とすると、切欠き先端部が半円に近い、舌状の形状であるとともに、切欠き幅が縫い糸の太さより若干広い幅となるように、切欠き部が形成されているとよい。また、舌状の形状の切欠き部は、刃の縁線方向へ真直ぐ延びる方向よりも刃の先端方向へ若干斜めに延びているとよい（平面視で見て、舌状の形状の切欠き部の軸線が、刃の縁線へ真直ぐ延びる方向よりも刃先側の方向へ若干斜めに延びているとよい）。
【００１３】
上述した柄は、この柄の内部に刃体を収納可能に構成してもよい。すなわち、柄と刃体の部分とを市販のカッターナイフを用いて構成し、このカッターナイフの先端に、切欠き部を設けた扁平なカバーを取り付け、扁平なカバーの切欠き部からカッターナイフの刃を外方に臨ませてもよい。
【００１４】
なお、市販のカッターナイフの先端に扁平なカバーを取り付けるようにする場合、扁平なカバーの先端部すなわちカッターナイフの刃体を突出させる方向側の部位は開口していて、刃の切れ味が悪くなったときに該開口から刃を突出させて刃を折り取れるようにするのがよい。また、扁平なカバーの外形寸法や切欠き部の位置については、折る刃１枚分の長さ等に応じて決めることができる。
【００１５】
扁平なカバーは、柄と刃体の構造に応じて、柄に一体化する場合もあれば、カッターを通常のカッターとしても使用できるように着脱自在な扁平なカバーとする場合もある。なお、着脱自在なカバーとする場合には、安全性を高めるために、開口４を封じたカバーとしてもよい。
【００１６】
柄、刃体、扁平なカバーの素材も特に限定するものではないが、ステンレス等の素材を用いて形成され得る。扁平なカバーを柄に一体化して設ける場合には、柄が樹脂や木材であれば接着剤で一体化してもよいし、柄の先端寄り分部が金属であれば接着剤やロウ付け（ハンダ付け）で一体化してもよい。また、柄に着脱自在な扁平なカバーとする場合には、伸縮自在な素材で扁平なカバーを形成し、このカバーを、外れにくい方法で柄の先端部分に固定できるようにするとよい。
【００１７】
本考案の糸切り具によれば、迅速で安全に縫い糸を切断することができるので、縫い糸の切断を初めて行う者にとっても使い易い。また、縫い糸の切断工程に従事する職人にとっても、素早く正確に縫い糸を切断できるため、作業の効率を高めるのに重宝するものである。
【図面の簡単な説明】
【００１８】
【図１】本考案に係る糸切り具の一例を示す斜視図。
【図２】糸切り具における扁平なカバー付近の拡大図。
【図３】糸切り具の使用状態を示した図。
【図４】糸切り具の使用状態を示した図。
【考案を実施するための形態】
【００１９】
本考案に係る糸切り具について、添付の図に示される具体例に即して説明する。図１は、本考案の糸切り具の一実施例である。この実施例においては、柄と刃体の部分が市販のカッターナイフを利用して構成されたものが示されている。
【００２０】
カッターナイフ１の先端を扁平なカバー２で覆い、この扁平なカバー２の切欠き部３からカッターナイフ１の刃１ｂの一部が外方に臨くようにしている（図２参照）。このカッターナイフ１は、刃体１ａを進退操作するためのスライダ１ｃを備えている。
【００２１】
また、刃１ｂの切れ味が悪くなったときには開口４から刃体１ａを突出させ、刃１ｂを折り取ることができる。そして、新しい刃を出して使うことができる。
【００２２】
図２に示すように、切欠き部３の軸線は、刃１ｂの縁線方向に対し刃体１ａの先端方向へ若干斜めに延びるように形成されている。一実施例においては、扁平なカバー２の先端から約６ｍｍ〜約７ｍｍの位置に、舌状の形状の切欠き部が形成されており、この切欠き部から刃先の一部（縁部）が約１ｍｍ〜約２ｍｍの長さで露出している。
【００２３】
図３および図４は、糸切り具の使い方を示している。図３に示されるように、生地５に縫われている糸６に対しカッターナイフ１の刃体１ａを直角に立ててカバー２の切欠き部３から臨む刃１ｂを当てる。そして、図４に示されるように、カッターナイフの操作者は、遠方から手前へカッターナイフ１を滑動させる。
【００２４】
そして、上述したように切欠き部３の軸線が、刃１ｂの縁線方向に対し刃体１ａの先端方向へ略斜めに向かうように形成されているので、カッターナイフの操作者の遠方からカッターナイフの操作者のいる方向（図４における矢印方向）へカッターナイフ１を滑動させる際、カッターナイフを引き寄せるときの腕の曲線的な運動に起因して糸６が切欠き部３から逸脱してしまうことを阻止できる。
【符号の説明】
【００２５】
１…カッターナイフ
１ａ…刃体
１ｂ…刃
１ｃ…スライダ
２…扁平なカバー
３…切欠き部
４…開口
５…生地
６…糸
【図１】
0003183533.tif 000003
【図２】
0003183533.tif 000004
【図３】
0003183533.tif 000005
【図４】
0003183533.tif 000006